(57)【要約】【課題】記録媒体に対して磁気情報を良好に記録することできる熱アシスト方式の情報記録装置を提供する。【解決手段】突出部２１ｄの表面に形成された回折格子２１ａは、本体部２１ｂから非干渉空間３１ｃに突出するように設けられている。これにより、電極５５（５５ａ〜５５ｄ）、ＦＰＣ５６（５６ａ、５６ｂ）、および金属球５７（５７ａ〜５７ｄ）と、回折格子２１ａと、の干渉を防止しつつ、回折格子２１ａをグレーティングカプラ６８に近接させることができる。そのため、第１スライダ部３１の浮上特性に影響を及ぼすことなく、光Ｌ１を光アシスト部５１に対して良好に導入することができ、かつ、第１記録用ディスク２ａに対して磁気情報を良好に記録することができる。【選択図】図７
2011065724.tif 000002
【特許請求の範囲】
【請求項１】
熱アシスト方式によって記録媒体に磁気情報を記録する情報記録装置であって、
(a)  前記記録媒体の微小領域に対して光照射しつつ、前記微小領域に対応する磁気情報を書き換えるヘッド部と、
(b)  前記ヘッド部と近接対向する光偏向部を有しており、前記光偏向部で偏向された光を前記ヘッド部に導入する光学素子と、
(c)  前記ヘッド部の側面のうち前記光学素子と対向する面に設けられた電極と、電気的に接続される配線部材と、
を備え、
前記ヘッド部は、前記光学素子から導入された光に基づいて、前記微小領域に光照射を実行し、
前記光偏向部は、前記光学素子の本体部から、前記配線部材および前記電極との非干渉空間に突出することを特徴とする情報記録装置。
【請求項２】
請求項１に記載の情報記録装置において、
前記光偏向部は、平面視におけるヘッド対向面の中央付近から前記ヘッド部に向けて突出することを特徴とする情報記録装置。
【請求項３】
請求項２に記載の情報記録装置において、
前記光偏向部は、側面視における前記光学素子の形状が略Ｌ字形状となるように、前記ヘッド対向面の下部付近から前記ヘッド部に向けて突出することを特徴とする情報記録装置。
【請求項４】
請求項２に記載の情報記録装置において、
前記光偏向部は、側面視における前記ヘッド対向面の中央付近から前記ヘッド部に向けて突出することを特徴とする情報記録装置。
【請求項５】
請求項１ないし請求項４のいずれかに記載の情報記録装置において、
前記光偏向部は、前記ヘッド部に向けて光を反射させる反射鏡であることを特徴とする情報記録装置。
【請求項６】
請求項１ないし請求項４のいずれかに記載の情報記録装置において、
前記光偏向部は、前記ヘッド部に向けて光を回折させる回折格子であることを特徴とする情報記録装置。
【発明の詳細な説明】
【技術分野】
【０００１】
本発明は、熱アシスト方式によって、記録媒体に磁気情報を記録する情報記録装置に関する。
【背景技術】
【０００２】
従来より、光放射による熱アシスト方式の磁気情報記録技術が知られている（例えば、特許文献１）。特許文献１の磁気情報記録技術において、集光機能付きプラナー導波路は、記録ヘッドに設けられており、熱アシスト用の光は、このプラナー導波路の下端から照射される。
【０００３】
一般的に、熱アシスト方式の磁気情報記録技術では、記録密度を向上させるため、記録媒体として高保磁力媒体が使用されている。この高保磁力媒体は、高密度記録および熱安定性を両立できる記録媒体であり、高密度に記録された磁気情報（記録ビット）を長期間、安定して保存することができる。
【０００４】
また、熱アシスト方式の磁気情報記録技術では、磁気情報の書き換えに先立って、記録面に対して局所的に熱エネルギーが付与される。これにより、書き換え対象となる磁気情報の保磁力が小さくなる。そのため、記録媒体として高保磁力媒体が使用される場合であっても、書き換え対象となる磁気情報が容易に磁化反転させられ、磁気情報の書き換えが容易に実行される。
【０００５】
そして、光が照射された記録面の温度は、その後急速に下降し、記録面の保磁力は、元の高保磁力状態に戻る。そのため、書き換えられた磁気情報は、安定して保存されることになる。
【先行技術文献】
【特許文献】
【０００６】
【特許文献１】米国特許第６９４４１１２号明細書
【発明の概要】
【発明が解決しようとする課題】
【０００７】
ここで、特許文献１の集光機能付きプラナー導波路の回折格子に光を入射させる手法の１つとして、このプラナー導波路と対向するように光学素子を近接配置し、光学素子で反射された光をプラナー導波路の回折格子に入射させる手法が考えられる。
【０００８】
しかしながら、上述のように、記録ヘッドに設けられたプラナー導波路と、光学素子と、が近接配置されると、場合によっては、浮上時の記録ヘッドと光学素子とが干渉し、ヘッド部の浮上特性に影響を及ぼすという問題が発生する。
【０００９】
そこで、本発明では、記録媒体に対して磁気情報を良好に記録することできる熱アシスト方式の情報記録装置を提供することを目的とする。
【課題を解決するための手段】
【００１０】
上記の課題を解決するため、請求項１の発明は、熱アシスト方式によって記録媒体に磁気情報を記録する情報記録装置であって、(a)前記記録媒体の微小領域に対して光照射しつつ、前記微小領域に対応する磁気情報を書き換えるヘッド部と、(b)前記ヘッド部と近接対向する光偏向部を有しており、前記光偏向部で偏向された光を前記ヘッド部に導入する光学素子と、(c)前記ヘッド部の側面のうち前記光学素子と対向する面に設けられた電極と、電気的に接続される配線部材とを備え、前記ヘッド部は、前記光学素子から導入された光に基づいて、前記微小領域に光照射を実行し、前記光偏向部は、前記光学素子の本体部から、前記配線部材および前記電極との非干渉空間に突出することを特徴とする。
【００１１】
また、請求項２の発明は、請求項１に記載の情報記録装置において、前記光偏向部は、平面視におけるヘッド対向面の中央付近から前記ヘッド部に向けて突出することを特徴とする。
【００１２】
また、請求項３の発明は、請求項２に記載の情報記録装置において、前記光偏向部は、側面視における前記光学素子の形状が略Ｌ字形状となるように、前記ヘッド対向面の下部付近から前記ヘッド部に向けて突出することを特徴とする。
【００１３】
また、請求項４の発明は、請求項２に記載の情報記録装置において、前記光偏向部は、側面視における前記ヘッド対向面の中央付近から前記ヘッド部に向けて突出することを特徴とする。
【００１４】
また、請求項５の発明は、請求項１ないし請求項４のいずれかに記載の情報記録装置において、前記光偏向部は、前記ヘッド部に向けて光を反射させる反射鏡であることを特徴とする。
【００１５】
また、請求項６の発明は、請求項１ないし請求項４のいずれかに記載の情報記録装置において、前記光偏向部は、前記ヘッド部に向けて光を回折させる回折格子であることを特徴とする。
【発明の効果】
【００１６】
請求項１ないし請求項６に記載の発明によれば、光偏向部は、非干渉空間に突出するように設けられている。これにより、配線部材および電極と、光偏向部と、の干渉を防止しつつ、光偏向部をヘッド部に近接させることができる。そのため、ヘッド部の浮上特性に影響を及ぼすことなく、光をヘッド部に対して良好に導入することができ、かつ、記録媒体に対して磁気情報を良好に記録することができる。
【図面の簡単な説明】
【００１７】
【図１】本発明の実施の形態における情報記録装置の構成の一例を模式的に示す斜視図である。
【図２】アーム機構の構成の一例を示す平面図である。
【図３】図２のＶ−Ｖ線から見た側面断面図である。
【図４】導光ユニットの構成の一例を示す側面図である。
【図５】第１光学素子の構成の一例を示す斜視図である。
【図６】第１スライダ部の構成の一例を示す正面図である。
【図７】第１スライダ部の構成の一例を示す平面図である。
【図８】光アシスト部の構成の一例を示す正面図である。
【図９】光導波路の詳細な構成を説明するための図である。
【図１０】第１光学素子の構成の他の一例を示す側面図である。
【図１１】第１光学素子の構成の他の一例を示す側面図である。
【図１２】第１光学素子の構成の他の一例を示す側面図である。
【発明を実施するための形態】
【００１８】
以下、図面を参照しつつ本発明の実施の形態について詳細に説明する。
【００１９】
＜１．情報記録装置の構成＞
図１は、本実施の形態における情報記録装置１の構成の一例を模式的に示す斜視図である。情報記録装置１は、熱アシスト方式によって、第１ないし第３記録用ディスク２ａ〜２ｃ（記録媒体）に磁気情報を記録する磁気情報記録装置であり、いわゆるハードディスクドライブとして使用することができる。また、情報記録装置１の記録媒体としては、高保磁力媒体が用いられている。
【００２０】
ここで、高保磁力媒体に記録されている磁気情報が書き換えられるとき、情報記録装置１は、高保磁力媒体の記録面に対して局所的に光を照射し、局所的に熱エネルギーを付与する。これにより、熱エネルギーが付与された領域（書換領域）の温度が上昇し、書換領域における磁気情報の保磁力が小さくなる。そのため、記録媒体として高保磁力媒体が使用される場合であっても、磁気情報の書き換えを容易に実行することができる。
【００２１】
そして、光放射に基づく熱エネルギーが付与された書換領域の温度は、その後急速に下降する。そのため、記録面の保磁力は元の高保磁力状態に戻る。そのため、書き換えられた磁気情報は、高保磁力媒体の記録面上に、安定して保存されることになる。
【００２２】
図１に示すように、情報記録装置１は、主として、筐体１ａと、第１ないし第３記録用ディスク２ａ〜２ｃと、ヘッド信号制御部９と、アーム機構１０と、を有している。なお、図１および以降の各図には、それらの方向関係を明確にすべく必要に応じて適宜、Ｚ軸方向を鉛直方向とし、ＸＹ平面を水平面とするＸＹＺ直交座標系が付されている。
【００２３】
筐体１ａは、略直方体状の箱体である。筐体１ａの内側空間には、第１ないし第３記録用ディスク２ａ〜２ｃと、アーム機構１０と、が密閉して収納されている。
【００２４】
第１ないし３記録用ディスク２ａ〜２ｃは、略円盤状の記録媒体であり、高保磁力媒体により構成されている。図１に示すように、第１ないし３記録用ディスク２ａ〜２ｃは、上側から下側（Ｚ軸マイナス方向）に向かって、この順番に設けられている。また、図１に示すように、隣接する記録用ディスク２ａ〜２ｃは、相互に所定の微小距離（例えば、１ｍｍ以下）だけ離隔するように、かつ、第１ないし第５記録面３ａ〜３ｅが略平行となるように、配置されている。さらに、第１ないし３記録用ディスク２ａ〜２ｃは、Ｚ軸と略平行な回転軸４を中心に回転方向ｍＢに回転可能とされている。
【００２５】
ヘッド信号制御部９は、図１に示すように、アクチュエータ６の側面に取り付けられた制御回路である。ヘッド信号制御部９は、第１ないし第５スライダ部３１〜３５に対して、磁気記録および磁気再生の各処理を実行させる。例えば、ヘッド信号制御部９は、各スライダ部３１〜３５で読み取られた再生信号を増幅する処理を実行する。また、ヘッド信号制御部９は、第１ないし第５スライダ部３１〜３５のうち記録対象となっているものに対して、磁気記録処理を実行させる。
【００２６】
アーム機構１０は、第１ないし第３記録用ディスク２ａ〜２ｃに対して、第１ないし第５光学素子２１〜２５と、第１ないし第５スライダ部３１〜３５と、をトラッキング方向ｍＡに移動させる移動機構である。
【００２７】
これにより、第１ないし第５スライダ部３１〜３５が、対応する第１ないし第５記録面３ａ〜３ｅに対して移動させられる。そのため、回転する第１ないし第３記録用ディスク２ａ〜２ｃの所望位置の磁気情報が読み出され、または、第１ないし第３記録用ディスク２ａ〜２ｃの所望位置の磁気情報が書き換えられる。
【００２８】
なお、アーム機構１０の詳細な構成については、後述する。また、記録用ディスクの枚数や記録面の数（対応するスライダ部の個数）は、変更することが可能であり、本実施の形態の数に限られるものではない。
【００２９】
＜２．アーム機構の構成＞
図２は、本実施の形態におけるアーム機構１０の構成の一例を示す平面図である。図３は、図２のＶ−Ｖ線から見た側面断面図である。図１ないし図３に示すように、アーム機構１０は、主として、揺動軸５と、アクチュエータ６と、複数の（本実施の形態では３つの）アーム部４１〜４３と、を有している。
【００３０】
第１ないし第３アーム部４１〜４３は、それぞれ同様な形状を有する片持ち梁状の部材である。図３に示すように、各アーム部４１〜４３は、揺動軸５に固定されるとともに、揺動軸５側から第１ないし第３記録用ディスク２ａ〜２ｃ側に延びる。
【００３１】
また、図３に示すように、第１ないし第３アーム部４１〜４３は、上側から下側に向かって、この順番に設けられている。そして、第１および第２アーム部４２の間に第１記録用ディスク２ａが、第２および第３アーム部４３の間に第２記録用ディスク２ｂが、それぞれ挟まれている。また、第３アーム部４３の下方に第３記録用ディスク２ｃが配置されている。
【００３２】
さらに、第１ないし第３アーム部４１〜４３は、揺動軸５を介して、アクチュエータ６と連動連結されている。したがって、アクチュエータ６が駆動すると、各アーム部４１〜４３は、Ｚ軸と略平行な揺動軸５を中心に揺動する。
【００３３】
第１アーム部４１は、一方向に延伸するとともに、その延伸方向ＡＲ１における一端４５付近に設けられた揺動軸５を中心に揺動可能とされている。図３に示すように、第１アーム部４１は、主として、アーム本体部４１ａと、サスペンション部４１ｂと、を有している。
【００３４】
アーム本体部４１ａは、第１アーム部４１の一端４５側（固定端側）に設けられており、揺動軸５に固定されている。アーム本体部４１ａは、サスペンション部４１ｂと比較して、高さ方向のサイズ（厚み）が大きく、かつ、剛性が高い材料で形成されている。
【００３５】
サスペンション部４１ｂは、可撓性を有する材料で形成されている。図３に示すように、サスペンション部４１ｂは、第１アーム部４１の他端４６側（自由端側）に設けられており、アーム本体部４１ａの下側に固定されている。
【００３６】
第１光源ＬＳ１は、熱アシストのために第１記録面３ａ（第１記録用ディスク２ａの上面）に照射される光を供給する。図３に示すように、第１光源ＬＳ１は、アーム本体部４１ａの下面側に取り付けられている。第１光源ＬＳ１から出射された光Ｌｉは、延伸方向ＡＲ１における第１アーム部４１の一端４５側から他端４６側に向かって出射される。
【００３７】
ここで、本実施の形態では、第１光源ＬＳ１としてファブリ・ペロー型レーザ・ダイオードが使用されている。このレーザ・ダイオードは、安価な反面、温度変化によりレーザ光の波長が変化する。
【００３８】
第１光学素子２１は、第１光源ＬＳ１から出射された光Ｌｉを第１スライダ部３１側に折り返す。図３に示すように、第１光学素子２１は、第１アーム部４１の下側他端４６付近に、樹脂製接着剤などにより固定されている。
【００３９】
第１スライダ部３１は、図３に示すように、サスペンション部４１ｂから第１記録面３ａ側に突出するヘッド部である。第１スライダ部３１は、第１アーム部４１（サスペンション部４１ｂ）の下側他端４６付近に、バネ部材３１ａを介して取り付けられている。第１スライダ部３１は、第１記録面３ａから磁気情報を読み出す処理、および第１記録面３ａに光照射しつつ磁気情報を書き換える処理を実行する。
【００４０】
また、図３に示すように、第１光学素子２１で折り返された光Ｌ１は、第１スライダ部３１を介して第１記録面３ａに照射される。このように、第１光学素子２１および第１スライダ部３１は、第１光源ＬＳ１から出射された光を第１記録面３ａに導く第１導光ユニット１１として使用される。
【００４１】
また、第１スライダ部３１について、第１記録面３ａと対向する面（すなわち、第１スライダ部３１の下面）の形状は、いわゆる浮上面形状（ＡＢＳ：Air Bearing Surface）とされている。さらに、第１記録用ディスク２ａが回転せず静止状態の場合において、第１スライダ部３１は、第１記録面３ａと接触している。
【００４２】
なお、第１記録用ディスク２ａが回転せず静止状態となる場合に、第１スライダ部３１を持ち上げて第１記録用ディスク２ａの外側に退避させる機構を設けても良い。こうすることで、第１スライダ部３１が第１記録用ディスク２ａと接触することを避けることができる。
【００４３】
したがって、回転軸４を中心に第１記録用ディスク２ａが回転すると、第１スライダ部３１は、第１記録面３ａから微小距離だけ浮上する。そのため、第１スライダ部３１は、第１記録面３ａと接触することなく、磁気情報の読み出し、および書き換えを実行することができる。
【００４４】
第２アーム部４２は、第１アーム部４１と同様に、一方向に延伸するとともに、その延伸方向ＡＲ１における一端４５付近に設けられた揺動軸５を中心に揺動可能とされている。図３に示すように、第２アーム部４２は、主として、アーム本体部４２ａと、上部サスペンション部４２ｂと、下部サスペンション部４２ｃと、を有している。
【００４５】
アーム本体部４２ａは、アーム本体部４１ａと同様な材料で形成され、同様な形状を有している。図３に示すように、アーム本体部４２ａは、第２アーム部４２の一端４５側を構成しており、揺動軸５に固定されている。
【００４６】
上部および下部サスペンション部４２ｂ、４２ｃは、サスペンション部４１ｂと同様に、可撓性を有する材料で形成されており、第２アーム部４２の他端４６側を構成している。また、図３に示すように、上部サスペンション部４２ｂはアーム本体部４２ａの上側に、下部サスペンション部４２ｃはアーム本体部４２ａの下側に、それぞれ固定されている。
【００４７】
第２光源ＬＳ２は、第１光源ＬＳ１と同様なハードウェア構成を有しており、熱アシストのために第２記録面３ｂ（第１記録用ディスク２ａの下面）に照射される光を供給する。図３に示すように、第２光源ＬＳ２は、アーム本体部４２ａの上面側に取り付けられている。第２光源ＬＳ２から出射された光は、延伸方向ＡＲ１における第２アーム部４２の一端４５側から他端４６側に向かって出射される。
【００４８】
第２光学素子２２は、第１光学素子２１と同様なハードウェア構成を有しており、第２光源ＬＳ２から出射された光を第２スライダ部３２側に折り返す。図３に示すように、第２光学素子２２は、上部サスペンション部４２ｂの上側他端４６付近に、樹脂製接着剤などにより固定されている。
【００４９】
第２スライダ部３２は、第１スライダ部３１と同様なハードウェア構成を有しており、図３に示すように、上部サスペンション部４２ｂから第２記録面３ｂ側に突出するヘッド部である。第２スライダ部３２は、第２アーム部４２（上部サスペンション部４２ｂ）の上側他端４６付近に、バネ部材３２ａを介して取り付けられている。第２スライダ部３２は、第２記録面３ｂから磁気情報を読み出す処理、および第２記録面３ｂに光照射しつつ磁気情報を書き換える処理を実行する。
【００５０】
また、図３に示すように、第２光学素子２２で折り返された光は、第２スライダ部３２を介して第２記録面３ｂに照射される。このように、第２光学素子２２および第２スライダ部３２は、第２光源ＬＳ２から出射された光を第１記録用ディスク２ａの第２記録面３ｂに導く第２導光ユニット１２として使用される。
【００５１】
また、第２スライダ部３２について、第２記録面３ｂと対向する面（すなわち、第２スライダ部３２の上面）の形状は、いわゆる浮上面形状となっている。また、第１記録用ディスク２ａが回転せず静止状態の場合において、第２スライダ部３２は、第２記録面３ｂと接触している。
【００５２】
したがって、回転軸４を中心に第１記録用ディスク２ａが回転すると、第２スライダ部３２は、第２記録面３ｂから微小距離だけ下降して離隔する。そのため、第２スライダ部３２は、第２記録面３ｂと接触することなく、磁気情報の読み出し、および書き換えを実行することができる。
【００５３】
第３光源ＬＳ３は、第１光源ＬＳ１と同様なハードウェア構成を有しており、熱アシストのために第３記録面３ｃ（第２記録用ディスク２ｂの上面）に照射される光を供給する。図３に示すように、第３光源ＬＳ３は、アーム本体部４２ａの下面側に取り付けられている。第３光源ＬＳ３から出射された光は、延伸方向ＡＲ１における第２アーム部４２の一端４５側から他端４６側に向かって出射される。
【００５４】
第３光学素子２３は、第１光学素子２１と同様なハードウェア構成を有しており、第３光源ＬＳ３から出射された光を第３スライダ部３３側に折り返す。図３に示すように、第３光学素子２３は、下部サスペンション部４２ｃの下側他端４６付近に、樹脂製接着剤などにより固定されている。
【００５５】
第３スライダ部３３は、第１スライダ部３１と同様なハードウェア構成を有しており、図３に示すように、下部サスペンション部４２ｃから第３記録面３ｃ側に突出するヘッド部である。第３スライダ部３３は、第２アーム部４２（下部サスペンション部４２ｃ）の下側他端４６付近に、バネ部材３３ａを介して取り付けられている。第３スライダ部３３は、第３記録面３ｃから磁気情報を読み出す処理、および第３記録面３ｃに光照射しつつ磁気情報を書き換える処理を実行する。
【００５６】
また、図３に示すように、第３光学素子２３で折り返された光は、第３スライダ部３３を介して第３記録面３ｃに照射される。このように、第３光学素子２３および第３スライダ部３３は、第３光源ＬＳ３から出射された光を第２記録用ディスク２ｂの第３記録面３ｃに導く第３導光ユニット１３として使用される。
【００５７】
また、第３スライダ部３３について、第３記録面３ｃと対向する面（すなわち、第３スライダ部３３の下面）の形状は、いわゆる浮上面形状となっている。また、第２記録用ディスク２ｂが回転せず静止状態の場合において、第３スライダ部３３は、第３記録面３ｃと接触している。
【００５８】
したがって、回転軸４を中心に第２記録用ディスク２ｂが回転すると、第３スライダ部３３は、第３記録面３ｃから微小距離だけ浮上する。そのため、第２スライダ部３２は、第２記録面３ｂと接触することなく、磁気情報の読み出し、および書き換えを実行することができる。
【００５９】
第３アーム部４３は、第１アーム部４１と同様に、一方向に延伸するとともに、その延伸方向ＡＲ１における一端４５付近に設けられた揺動軸５を中心に揺動可能とされている。図３に示すように、第３アーム部４３は、主として、アーム本体部４３ａと、上部サスペンション部４３ｂと、下部サスペンション部４３ｃと、を有している。
【００６０】
アーム本体部４３ａは、アーム本体部４１ａと同様な材料で形成され、同様な形状を有している。図３に示すように、アーム本体部４３ａは、第３アーム部４３の一端４５側を構成しており、揺動軸５に固定されている。
【００６１】
上部および下部サスペンション部４３ｂ、４３ｃは、サスペンション部４１ｂと同様に、可撓性を有する材料で形成されており、第３アーム部４３の他端４６側を構成している。また、図３に示すように、上部サスペンション部４３ｂはアーム本体部４３ａの上側に、下部サスペンション部４３ｃはアーム本体部４３ａの下側に、それぞれ固定されている。
【００６２】
第４光源ＬＳ４は、第１光源ＬＳ１と同様なハードウェア構成を有しており、熱アシストのために第４記録面３ｄ（第２記録用ディスク２ｂの下面）に照射される光を供給する。図３に示すように、第４光源ＬＳ４は、アーム本体部４３ａの上面側に取り付けられている。第４光源ＬＳ４から出射された光は、延伸方向ＡＲ１における第３アーム部４３の一端４５側から他端４６側に向かって出射される。
【００６３】
第４光学素子２４は、第１光学素子２１と同様なハードウェア構成を有しており、第４光源ＬＳ４から出射された光を第４スライダ部３４側に折り返す。図３に示すように、第４光学素子２４は、上部サスペンション部４３ｂの上側他端４６付近に、樹脂製接着剤などにより固定されている。
【００６４】
第４スライダ部３４は、第１スライダ部３１と同様なハードウェア構成を有しており、図３に示すように、上部サスペンション部４３ｂから第４記録面３ｄ側に突出するヘッド部である。第４スライダ部３４は、第３アーム部４３（上部サスペンション部４３ｂ）の上側他端４６付近に、バネ部材３４ａを介して取り付けられている。第４スライダ部３４は、第４記録面３ｄから磁気情報を読み出す処理、および第４記録面３ｄに光照射しつつ磁気情報を書き換える処理を実行する。
【００６５】
また、図３に示すように、第４光学素子２４で折り返された光は、第４スライダ部３４を介して第４記録面３ｄに照射される。このように、第４光学素子２４および第４スライダ部３４は、第４光源ＬＳ４から出射された光を第２記録用ディスク２ｂの第４記録面３ｄに導く第４導光ユニット１４として使用される。
【００６６】
また、第４スライダ部３４について、第４記録面３ｄと対向する面（すなわち、第４スライダ部３４の上面）の形状は、いわゆる浮上面形状となっている。また、第２記録用ディスク２ｂが回転せず静止状態の場合において、第４スライダ部３４は、第４記録面３ｄと接触している。
【００６７】
したがって、回転軸４を中心に第２記録用ディスク２ｂが回転すると、第４スライダ部３４は、第４記録面３ｄから微小距離だけ下降して離隔する。そのため、第４スライダ部３４は、第４記録面３ｄと接触することなく、磁気情報の読み出し、および書き換えを実行することができる。
【００６８】
第５光源ＬＳ５は、第１光源ＬＳ１と同様なハードウェア構成を有しており、熱アシストのために第５記録面３ｅ（第３記録用ディスク２ｃの上面）に照射される光を供給する。図３に示すように、第５光源ＬＳ５は、アーム本体部４３ａの下面側に取り付けられている。第５光源ＬＳ５から出射された光は、延伸方向ＡＲ１における第３アーム部４３の一端４５側から他端４６側に向かって出射される。
【００６９】
第５光学素子２５は、第１光学素子２１と同様なハードウェア構成を有しており、第５光源ＬＳ５から出射された光を第５スライダ部３５側に折り返す。図３に示すように、第５光学素子２５は、下部サスペンション部４３ｃの下側他端４６付近に、樹脂製接着剤などにより固定されている。
【００７０】
第５スライダ部３５は、第１スライダ部３１と同様なハードウェア構成を有しており、図３に示すように、下部サスペンション部４３ｃから第５記録面３ｅ側に突出するヘッド部である。第５スライダ部３５は、第３アーム部４３（下部サスペンション部４３ｃ）の下側他端４６付近に、バネ部材３５ａを介して取り付けられている。第５スライダ部３５は、第５記録面３ｅから磁気情報を読み出す処理、および第５記録面３ｅに光照射しつつ磁気情報を書き換える処理を実行する。
【００７１】
また、図３に示すように、第５光学素子２５で折り返された光は、第５スライダ部３５を介して第５記録面３ｅに照射される。このように、第５光学素子２５および第５スライダ部３５は、第５光源ＬＳ５から出射された光を第３記録用ディスク２ｃの第５記録面３ｅに導く第５導光ユニット１５として使用される。
【００７２】
また、第５スライダ部３５について、第５記録面３ｅと対向する面（すなわち、第５スライダ部３５の下面）の形状は、いわゆる浮上面形状となっている。また、第３記録用ディスク２ｃが回転せず静止状態の場合において、第５スライダ部３５は、第５記録面３ｅと接触している。
【００７３】
したがって、回転軸４を中心に第３記録用ディスク２ｃが回転すると、第５スライダ部３５は、第５記録面３ｅから微小距離だけ浮上する。そのため、第５スライダ部３５は、第５記録面３ｅと接触することなく、磁気情報の読み出し、および書き換えを実行することができる。
【００７４】
＜３．導光ユニットの構成＞
図４は、本実施の形態における第１導光ユニット１１の構成の一例を示す側面図である。図５は、第１光学素子２１の構成の一例を示す側面図である。図６および図７は、第１スライダ部３１の構成の一例を示す正面図および平面図である。図８は、光アシスト部５１の構成の一例を示す正面図である。図９は、光導波路６０の詳細な構成を説明するための側面図である。
【００７５】
図４に示すように、第１導光ユニット１１は、主として、第１光学素子２１と、第１スライダ部３１と、ＦＰＣ（Flexible Printed Circuits：フレキシブルプリント配線板）５６と、を有している。
【００７６】
なお、上述のように、第２ないし第５導光ユニット１２〜１５に含まれている第２ないし第５光学素子２２〜２５のそれぞれは、第１導光ユニット１１の第１光学素子２１と、同様なハードウェア構成を有している。また、第２ないし第５導光ユニット１２〜１５に含まれている第２ないし第５スライダ部３２〜３５のそれぞれは、第１導光ユニット１１の第１スライダ部３１と、同様なハードウェア構成を有している。
【００７７】
そこで、以下では、第１導光ユニット１１の第１光学素子２１および第１スライダ部３１についてのみ説明する。
【００７８】
第１光学素子２１は、第１光源ＬＳ１から出射された光を回折格子２１ａにて偏向し、第１アーム部４１の光アシスト部５１に導入する。図３および図４に示すように、第１光学素子２１は、第１スライダ部３１を挟んで第１光源ＬＳ１と逆側に設けられており、主として、反射型の回折格子２１ａと、本体部２１ｂと、突出部２１ｄと、を有している。
【００７９】
本体部２１ｂは、図４に示すように、側面視略平行四辺形のブロック体であり、例えばガラスや樹脂により形成されている。ここで、本実施の形態の「側面視」とは、ＹＺ平面をＸ軸負方向に見た場合を言うものとする。
【００８０】
回折格子２１ａは、図４に示すように、第１アーム部４１の光アシスト部５１と近接対向するように設けられている。また、図４に示すように、回折格子２１ａは、複数の略鋸歯状の溝を有している。複数の溝は、本体部２１ｂと同様の材料（例えば、ガラスや樹脂）により形成されている。また、各溝の表面には、反射膜２１ｃが積層されている。
【００８１】
ここで、回折格子２１ａと光アシスト部５１とが近接配置されているのは、グレーティングカプラ６８に入射する光の最適入射角θ0（図９参照）が予め設定されているためである。また、反射膜２１ｃ（ハッチング部）は、アルミニウム(Ａｌ)や銀(Ａｇ)などの金属、または、誘電体により形成されている。
【００８２】
突出部２１ｄは、図４および図５に示すように、側面視略平行四辺形のブロック体であり、本体部２１ｂと同様の材料（例えば、ガラスや樹脂）により形成されている。図４、図５、および図７に示すように、突出部２１ｄは、本体部２１ｂの取付面２１ｅ中央付近から光アシスト部５１側に突出するように設けられている。そして、突出部２１ｄの表面には、回折格子２１ａが形成されている。
【００８３】
すなわち、突出部２１ｄの表面に形成された回折格子２１ａは、図５および図７に示すように、本体部２１ｂから非干渉空間３１ｃに突出するように設けられている。例えば、図５および図７に示すように、回折格子２１ａは、平面視における（ＸＹ平面を、Ｚ軸負方向に見た）取付面２１ｅの中央付近から第１スライダ部３１に向けて突出する。また、図４および図５に示すように、回折格子２１ａは、側面視における取付面２１ｅの中央付近から第１スライダ部３１に向けて突出する。
【００８４】
さらに、この非干渉空間３１ｃは、第１スライダ部３１が浮上した時であっても、第１スライダ部３１の電極５５（５５ａ〜５５ｄ）、ＦＰＣ５６（５６ａ、５６ｂ）、および金属球５７（５７ａ〜５７ｄ）が進入しない空間として、予め定められている。
【００８５】
これにより、情報記録装置１は、電極５５（５５ａ〜５５ｄ）、ＦＰＣ５６（５６ａ、５６ｂ）、および金属球５７（５７ａ〜５７ｄ）と、回折格子２１ａと、の干渉を防止しつつ、回折格子２１ａを第１スライダ部３１の光アシスト部５１に近接させることができる。そのため、第１スライダ部３１の浮上特性に影響を及ぼすことなく、光Ｌ１を光アシスト部５１に対して良好に導入することができ、かつ、第１記録用ディスク２ａに対して磁気情報を良好に記録することができる。
【００８６】
また、図５に示すように、突出部２１ｄの表面と、本体部２１ｂの取付面２１ｅと、は、略平行となるように設定されている。また、第１スライダ部３１の対向面３１ｂに対する突出部２１ｄの表面の傾き（角度）は、グレーティングカプラ６８に入射する光の最適入射角θ0に基づいて、予め設定されている。
【００８７】
そのため、回折格子２１ａは、第１光源ＬＳ１側から入射し、回折格子２１ａの各溝（より具体的には、反射膜２１ｃ）に到達する光Ｌｉを、回折させ、第１スライダ部３１側に折り返すことができる。すなわち、回折格子２１ａは、第１スライダ部３１に向けて入射光Ｌｉを偏向する（回折させる）光偏向部として機能する。
【００８８】
なお、図４に示すように、第１光学素子２１および第１スライダ部３１は、第１記録用ディスク２ａの同一記録面３ａと対向するように、第１アーム部４１のサスペンション部４１ｂに取り付けられている。すなわち、第１アーム部４１を挟んで第１記録用ディスク２ａと逆側の空間に第１光学素子２１を配置する必要がない。そのため、第１アーム部４１付近の省スペース化を実現できる。
【００８９】
また、回折格子２１ａの溝形状としては、略鋸歯状だけでなく、略正弦波状であってもよいし、矩形状（後述するグレーティングカプラ６８と同様な形状）であってもよい。
【００９０】
第１スライダ部３１（ヘッド部）は、対向する第１記録面３ａ上に光を照射する光ヘッドとしての機能と、対向する第１記録面３ａ上に記録されている磁気情報を読み書きする磁気ヘッドとしての機能と、を有している。
【００９１】
図４に示すように、第１スライダ部３１は、主として、光アシスト部５１と、磁気記録部５２と、磁気再生部５３と、電極５５と、を有している。また、図４に示すように、磁気再生部５３、磁気記録部５２、光アシスト部５１、および第１光学素子２１は、第１アーム部４１の一端４５から他端４６に向かい（すなわち、配置方向ｍＣに沿って）、この順番に設けられている。
【００９２】
光アシスト部５１は、第１記録面３ａに対して局所的に熱エネルギーを付与するために、第１光学素子２１で折り返された光Ｌ１を第１記録面３ａ上の所望の位置に照射する。図８に示すように、光アシスト部５１は、光導波路６０を有している。
【００９３】
光導波路６０は、特許文献１で開示されている導波路型ソリッド・イマージョン・ミラー（ＰＳＩＭ：Planar Solid Immersion Mirror）と同様な構成を有している。光導波路６０は、主として、グレーティングカプラ６８を有しており、第１光源ＬＳ１から出射され、グレーティングカプラ６８を介して入射する光Ｌ１を伝送する。図４および図８に示すように、光導波路６０は、基板５０の側面のうち、第１光学素子２１の回折格子２１ａと対向する面に設けられている。
【００９４】
また、図９に示すように、光導波路６０は、下部クラッド層６０ｃ、コア層６０ｂ、上部クラッド層６０ａを、配置方向ｍＣに沿って、この順番に積層させたものである。コア層６０ｂは、各クラッド層６０ａ、６０ｃ（例えば、ＳｉＯ2で形成）よりも屈折率の高い素材（例えば、Ｔａ2Ｏ5）で形成されている。これにより、光導波路６０に導かれた光は、コア層６０ｂと、クラッド層６０ａ、６０ｃとの間で全反射する。
【００９５】
また、図８に示すように、Ｙ軸方向における光導波路６０のサイズ（厚さ）は小さい（薄い）。さらに、光導波路６０の内面７０、７２は、放物線状とされており、Ｘ軸方向における光導波路６０のサイズ（光導波路６０の幅）は、グレーティングカプラ６８から出射端６２に向かって、徐々に狭まり、鉛直断面における光導波路６０の形状は、テーパ状とされている。
【００９６】
したがって、光導波路６０に導入され伝送される光６４は、内面７０、７２で全反射され、出射端６２に近付くに従って集光される。そして、出射端６２からは近接場光が出射される。そのため、第１記録用ディスク２ａの第１記録面３ａに微小光スポットが形成され、第１記録面３ａ上の微小領域が加熱される。
【００９７】
ここで、グレーティングカプラ６８は、矩形状の断面をもつ回折格子である。グレーティングカプラ６８は、光結合器としての機能を有しており、第１光学素子２１の回折格子２１ａで折り返された回折光Ｌ１を光導波路６０内に導く。
【００９８】
図８に示すように、グレーティングカプラ６８は、光導波路６０の上部側面に設けられている。また、図９に示すように、グレーティングカプラ６８は、コア層６０ｂと同様の素材により形成されており、上部クラッド層６０ａ側に突出する複数の突出部として形成されている。
【００９９】
図４に戻って、磁気記録部５２は、磁気記録素子（図示省略）を有しており、光アシスト部５１により局所的に光が照射された第１記録面３ａうち光アシスト部５１の光導波路６０から照射された光が到達した部分について、磁気情報を書き換える。磁気再生部５３は、磁気再生素子（図示省略）を有しており、第１記録面３ａに記録されている磁気情報を読み取る。
【０１００】
複数（本実施の形態では、４つ）の電極５５（５５ａ〜５５ｄ）は、図６および図７に示すように、第１スライダ部３１の側面のうち第１光学素子２１と対向する対向面３１ｂに設けられている。
【０１０１】
ＦＰＣ５６（５６ａ、５６ｂ）は、ヘッド信号制御部９と第１スライダ部３１の電極５５（５５ａ〜５５ｄ）を電気的に接続する平面視略Ｌ字形状のプリント基板である。図７に示すように、ＦＰＣ５６ａは、金属球５７ａ、５７ｂと、導体箔（例えば、銅箔）５８ａ、５８ｂと、を有している。また、ＦＰＣ５６ｂは、金属球５７ｃ、５７ｄと、導体箔（例えば、銅箔）５８ｃ、５８ｄと、を有している。ここで、各ＦＰＣ５６（５６ａ、５６ｂ）は、上述の導体箔５８（５８ａ〜５８ｄ）をフィルム状の絶縁体（例えば、ポリイミド）の上に接着することによって、作成される。
【０１０２】
金属球５７（５７ａ〜５７ｄ）は、対応する導体箔５８（５８ａ〜５８ｄ）の端部に接続された金属製の球体である。図６および図７に示すように、各金属球５７（５７ａ〜５７ｄ）は、例えば熱圧着によって、対応する電極５５（５５ａ〜５５ｄ）と接続されている。したがって、ＦＰＣ５６および金属球５７は、第１スライダ部３１の電極５５と、ヘッド信号制御部９と、を電気的に接続する配線部材を構成している。
【０１０３】
このように、光アシスト部５１および磁気記録部５２を有する第１スライダ部３１は、第１記録用ディスク２ａの微小領域に対し、光Ｌ１に基づいた光照射を実行しつつ、この微小領域に対応する磁気情報を書き換えることができる。
【０１０４】
また、図４に示すように、第１光学素子２１には反射型の回折格子２１ａが、光導波路６０にはグレーティングカプラ６８が、それぞれ設けられている。これにより、適切な回折格子２１ａが選択されることによって、光導波路６０のグレーティングカプラ６８に入射される光Ｌ１（０次以外の回折光）の入射角を、最適入射角θ0を含む許容範囲内（最適入射角±０．１度）に維持することができる。すなわち、第１光学素子２１の回折格子２１ａは、入射光Ｌｉの波長変化の影響を吸収することができる。
【０１０５】
そのため、温度変化等により第１光源ＬＳ１からの光Ｌｉの波長が変化した場合であっても、光アシスト部５１から第１記録面３ａに対して、良好にスポット光を照射することができ、良好に微小領域を加熱することができる。
【０１０６】
＜４．本実施の形態の情報記録装置の利点＞
以上のように、本実施の形態の情報記録装置１において、突出部２１ｄの表面に形成された回折格子２１ａは、本体部２１ｂから非干渉空間３１ｃに突出するように設けられている。これにより、情報記録装置１は、電極５５（５５ａ〜５５ｄ）、ＦＰＣ５６（５６ａ、５６ｂ）、および金属球５７（５７ａ〜５７ｄ）と、回折格子２１ａと、の干渉を防止しつつ、回折格子２１ａを光アシスト部５１のグレーティングカプラ６８に近接させることができる。そのため、第１スライダ部３１の浮上特性に影響を及ぼすことなく、光Ｌ１を光アシスト部５１に対して良好に導入することができ、かつ、第１記録用ディスク２ａに対して磁気情報を良好に記録することができる。
【０１０７】
＜５．変形例＞
以上、本発明の実施の形態について説明してきたが、本発明は上記実施の形態に限定されるものではなく様々な変形が可能である。
【０１０８】
（１）本実施の形態において、突出部２１ｄは、図５に示すように、本体部２１ｂの取付面２１ｅ中央付近から光アシスト部５１側に突出するように設けられているものとして説明したが、突出部２１ｄの形状および取付手法はこれに限定されるものでない。図１０ないし図１２は、第１光学素子１２１、２２１、３２１の構成を示す側面図である。図１０ないし図１２に示すように、（Ａ）突出部１２１ｄ、２２１ｄ、３２１ｄが、非干渉空間３１ｃに突出し、かつ、（Ｂ）第１スライダ部３１の対向面３１ｂに対する突出部１２１ｄ、２２１ｄ、３２１ｄの表面の傾き（角度）が光アシスト部５１のグレーティングカプラ６８に入射する光の最適入射角θ0に基づいて、予め設定されていれば、十分である。
【０１０９】
例えば、図１０に示すように、側面視における第１光学素子１２１の形状は、略Ｌ字形状とされており、突出部１２１ｄおよび回折格子１２１ａは、取付面１２１ｅ（ヘッド対向面）の下部付近から第１スライダ部３１に向けて突出する。
【０１１０】
すなわち、突出部１２１ｄに形成された回折格子１２１ａは、平面視における取付面２１ｅの中央付近から第１スライダ部３１に向けて突出している点で、突出部２１ｄの回折格子２１ａと共通する。一方、回折格子１２１ａは、側面視における取付面２１ｅとの位置関係において取付面２１ｅと相違する。
【０１１１】
したがって、第１光学素子１２１、２２１、３２１が、採用された情報記録装置１についても、第１スライダ部３１の浮上特性に影響を及ぼすことなく、光Ｌ１を光アシスト部５１に対して良好に導入することができ、かつ、第１記録用ディスク２ａに対して磁気情報を良好に記録することができる。
【０１１２】
（２）また、本実施の形態において、回折格子２１ａが光偏向部として使用されるものとして説明したが、これに限定されるものでない。例えば、光偏向部として反射鏡が使用されてもよい。この場合、反射鏡としては、平面鏡だけでなく、凸状または凹状の球面鏡であっても良いし、放物面鏡であっても良い。
【符号の説明】
【０１１３】
１  情報記録装置
２ａ〜２ｃ  第１記録用ディスク（記録媒体）
９  ヘッド信号制御部
１０  アーム機構
２１、１２１  第１光学素子
２１ａ、１２１ａ、２２１ａ、３２１ａ  回折格子（光偏向部）
２２〜２５  第２ないし第５光学素子
２１ｃ  反射膜
２１ｄ、１２１ｄ、２２１ｄ、３２１ｄ  突出部
２１ｅ、１２１ｅ、２２１ｅ、３２１ｅ  取付面（ヘッド対向面）
３１〜３５  第１ないし第５スライダ部
３１ｂ  対向面
４１〜４３  第１ないし第３アーム部４３
５１  光アシスト部
５２  磁気記録部
５３  磁気再生部
５５（５５ａ〜５５ｄ）  電極
５６（５６ａ、５６ｂ）  ＦＰＣ
５７（５７ａ〜５７ｄ）  金属球
５８（５８ａ〜５８ｄ）  導体箔
６０  光導波路
６８  グレーティングカプラ
【図１】
2011065724.tif 000003
【図２】
2011065724.tif 000004
【図３】
2011065724.tif 000005
【図４】
2011065724.tif 000006
【図５】
2011065724.tif 000007
【図６】
2011065724.tif 000008
【図７】
2011065724.tif 000009
【図８】
2011065724.tif 000010
【図９】
2011065724.tif 000011
【図１０】
2011065724.tif 000012
【図１１】
2011065724.tif 000013
【図１２】
2011065724.tif 000014